(57)【要約】【課題】バースト的な誤りが発生した場合でもユニークワードの検出ミスを少なくして伝送品質を高めることができるインタリーブ通信方式を提供する。【解決手段】送信側では、入力された送信バースト信号１１１を所定ビット数単位に分割し、ユニークワード信号１１２を分散付加してインタリーブを施した送信信号１１４を出力する。受信側では、受信信号１２１に分散付加されたユニークワードを検出し、予め決められたユニークワードパターンと比較し、ユニークワードパターンのビット列と一致するかまたは予め設定されたビット誤り率以下の場合に、デインタリーブを施してバースト信号を取り出す。【選択図】　　　図１
2004032549.tif 000002
【特許請求の範囲】
【請求項１】
送信信号をインタリーブにより通信を行なうインタリーブ通信方式において、送信側では、分割された送信信号の先頭にユニークワードを分散挿入するようにインタリーブを施し、受信側では、分散挿入された前記ユニークワードを検出し、予め決められたユニークワードパターンと一致するかまたは予め設定されたビット誤り率以下の場合に、デインタリーブを施して前記送信信号を取り出すことを特徴とするインタリーブ通信方式。
【請求項２】
送信バースト信号をインタリーブにより通信を行なうインタリーブ通信方式において、送信側では、前記送信バースト信号ｎ（ｎは正の整数）ビットをｍ（ｍは正の整数）ビット単位に分割し、ｍビット単位に分割された前記送信バースト信号の先頭にユニークワードのｋ（ｋ＝ｎ／ｍ）ビットを分散付加し、（ｍ＋１）ビット単位でインタリーブが施され、受信側では、等間隔の前記ユニークワードビットを検出し、予め決められたユニークワードパターンのビット列と一致するかまたは予め設定されたビット誤り率以下の場合に、（ｍ＋１）ビット単位でデインタリーブを施してバースト信号を取り出すことを特徴とするインタリーブ通信方式。
【請求項３】
送信信号をインタリーブにより通信を行なうインタリーブ通信装置であって、入力されたバースト信号を所定のビット数単位に分割し、ユニークワードを分散付加してインタリーブを施し出力する送信部と、前記ユニークワードを検出し、検出結果に基づいてデインタリーブを施し前記バースト信号を取り出す受信部と、より構成されることを特徴とするインタリーブ通信装置。
【請求項４】
前記送信部は、入力された前記バースト信号ｎ（ｎは正の整数）ビットをｍ（ｍは正の整数）ビット単位に分割し、ｍビット単位に分割された前記バースト信号の先頭にユニークワードのｋ（ｋ＝ｎ／ｍ）ビットを分散付加し、（ｍ＋１）ビット単位でインタリーブを施すことを特徴とする請求項３記載のインタリーブ通信装置。
【請求項５】
前記受信部は、前記ユニークワードを（ｍ＋１）ビット単位で検出し、予め決められたユニークワードパターンと比較し、付加された前記ユニークワードビットの有効性を判断したときに、（ｍ＋１）ビット単位でデインタリーブを施し、前記バースト信号を取り出すことを特徴とする請求項３又は４記載のインタリーブ通信装置。
【請求項６】
前記受信部は、前記ユニークワードビットを検出し、予め決められたビット列と一致するかまたは予め設定されたビット誤り率以下の場合に、前記有効性の判断を行うことを特徴とする請求項３、４又は５記載のインタリーブ通信装置。
【発明の詳細な説明】
【０００１】
【発明の属する技術分野】
本発明は、インタリーブ通信方式に関し、特にバースト的に連続する誤りが発生した場合でもユニークワードの検出ミスを少なくして伝送品質を高めることができるインタリーブ通信方式に関する。
【０００２】
【従来の技術】
時分割多元接続方式により多重通信を行うＴＤＭＡ（Ｔｉｍｅ　Ｄｅｖｉｓｉｏｎ　Ｍｕｌｔｉｐｌｅ　Ａｃｃｅｓｓ）通信では、フレーム内に割り当てられた一定の時間幅であるタイムスロットを用いて相手局に送信する際に、トラフィックデータをバースト信号に変換し、このバースト信号の前に予めパターンが決められたユニークワード（以下、ＵＷと略す。）を付加して送信し、受信側では、決められたＵＷパターンを検出しバースト信号の受信タイミングを発生している。
【０００３】
次に、従来のＴＤＭＡ通信におけるＵＷ検出方式について説明する。図３は従来のＴＤＭＡ通信におけるＵＷ検出方式を説明するためのブロック図であり、図４は従来のＴＤＭＡ通信のＵＷ検出方式におけるビット列を示す図である。
【０００４】
図３（ａ）に示す送信側では、入力された送信バースト信号１５１とＵＷ発生部５２で生成されたＵＷ信号１５２とが多重部５１で多重され、送信信号１５３として出力される。送信信号１５３は、ＵＷ信号１５２をｋビットおよび送信バースト信号１５１をｎビットとするビット列として図４に示されている。
【０００５】
図３（ｂ）に示す受信側では、受信信号１６１が入力されたＵＷ検出部６１は、図４のＵＷビット検出位置、すなわち連続したビット列の中でＵＷを検出し、ＵＷの最後のビットの位置でＵＷ検出パルス１６２を発生する。
【０００６】
多重分離部６３は、受信タイミング発生部６２がＵＷ検出パルス１６２に基づいて出力した制御信号１６３により、受信信号１６１から分離した受信バースト信号１６４を出力する。
【０００７】
この従来の方式は、伝送路上でバースト的なデータ誤りが連続して発生すると、ＵＷ検出の確率が落ち、通信品質が著しく劣化するという問題がある。このため、ＵＷビットの誤り許容率を上げてＵＷ検出の確率を上げることも可能であるが、同時にＵＷ疑似検出の確率が上がり、結果的には通信品質を向上させることが難しくなってしまう。
【０００８】
【発明が解決しようとする課題】
上述した従来のＴＤＭＡ通信におけるＵＷ検出方式は、伝送路上でバースト的な連続するデータ誤りが発生すると、ＵＷ検出の確率が落ち、通信品質が著しく悪くなるという欠点がある。
【０００９】
本発明の目的は、このような従来の欠点を除去するため、送信側において、分割された送信信号の先頭にユニークワードを分散挿入するようにインタリーブを施すことにより、ユニークワードの検出ミスを少なくして伝送品質を高めることができるインタリーブ通信方式を提供することにある。
【００１０】
【課題を解決するための手段】
本発明のインタリーブ通信方式は、送信信号をインタリーブにより通信を行なうインタリーブ通信方式において、送信側では、分割された送信信号の先頭にユニークワードを分散挿入するようにインタリーブを施し、受信側では、分散挿入された前記ユニークワードを検出し、予め決められたユニークワードパターンと一致するかまたは予め設定されたビット誤り率以下の場合に、デインタリーブを施して前記送信信号を取り出すことを特徴としている。
【００１１】
また、本発明のインタリーブ通信方式は、送信バースト信号をインタリーブにより通信を行なうインタリーブ通信方式において、送信側では、前記送信バースト信号ｎ（ｎは正の整数）ビットをｍ（ｍは正の整数）ビット単位に分割し、ｍビット単位に分割された前記送信バースト信号の先頭にユニークワードのｋ（ｋ＝ｎ／ｍ）ビットを分散付加し、（ｍ＋１）ビット単位でインタリーブが施され、受信側では、等間隔の前記ユニークワードビットを検出し、予め決められたユニークワードパターンのビット列と一致するかまたは予め設定されたビット誤り率以下の場合に、（ｍ＋１）ビット単位でデインタリーブを施してバースト信号を取り出すことを特徴としている。
【００１２】
また、本発明のインタリーブ通信装置は、送信信号をインタリーブにより通信を行なうインタリーブ通信装置であって、入力されたバースト信号を所定のビット数単位に分割し、ユニークワードを分散付加してインタリーブを施し出力する送信部と、前記ユニークワードを検出し、検出結果に基づいてデインタリーブを施し前記バースト信号を取り出す受信部と、より構成されることを特徴としている。
【００１３】
また、前記送信部は、入力された前記バースト信号ｎ（ｎは正の整数）ビットをｍ（ｍは正の整数）ビット単位に分割し、ｍビット単位に分割された前記バースト信号の先頭にユニークワードのｋ（ｋ＝ｎ／ｍ）ビットを分散付加し、（ｍ＋１）ビット単位でインタリーブを施すことを特徴としている。
【００１４】
また、前記受信部は、前記ユニークワードを（ｍ＋１）ビット単位で検出し、予め決められたユニークワードパターンと比較し、付加された前記ユニークワードビットの有効性を判断したときに、（ｍ＋１）ビット単位でデインタリーブを施し、前記バースト信号を取り出すことを特徴としている。
【００１５】
また、前記受信部は、前記ユニークワードビットを検出し、予め決められたビット列と一致するかまたは予め設定されたビット誤り率以下の場合に、前記有効性の判断を行うことを特徴としている。
【００１６】
【発明の実施の形態】
次に、本発明の実施の形態について図面を参照して説明する。図１は、本発明のインタリーブ通信方式を説明するためのブロック図である。
【００１７】
図１に示す本実施の形態は、送信バースト信号１１１とユニークワード（以下、ＵＷと略す。）信号１１２とを多重する多重部１１と、ＵＷ信号１１２を生成するＵＷ発生部１２と、多重された送信バースト信号１１１およびＵＷ信号１１２にインタリーブを施した送信信号１１４を出力するインタリーブ部１３とよりなる送信側と、入力された受信信号１２１よりＵＷ信号１１２の最後のビット位置でＵＷ検出パルス１２２を出力するＵＷ検出部２１と、ＵＷ検出パルス１２２に基づいて制御信号１２３、１２４を出力する受信タイミング発生部２２と、受信タイミング発生部２２から出力された制御信号１２３により、入力された受信信号１２１のビット列の並べ替えを行うデインタリーブ部２３と、デインタリーブ部２３から出力された多重信号１２５から分離した受信バースト信号１２６を出力する多重分離部２４とより構成されている。
【００１８】
次に、本実施の形態の動作を図１を参照して詳細に説明する。
【００１９】
まず、送信側の多重部１１は、入力された送信バースト信号１１１とＵＷ発生部１２で生成されたＵＷ信号１１２とを多重した多重信号１１３をインタリーブ部１３へ出力する。
【００２０】
インタリーブ部１３は、多重部１１から出力された送信バースト信号１１１を所定ビット数単位に分割し、ＵＷ信号１１２を分割挿入するインタリーブを施し、送信信号１１４として出力する。
【００２１】
次に、受信側のＵＷ検出部２１は、インタリーブが施されたＵＷ信号１１２の最後のビット位置でＵＷ検出パルス１２２を受信タイミング発生部２２へ出力する。
【００２２】
受信タイミング発生部２２は、ＵＷ検出パルス１２２を基準タイミングとしてデインタリーブ部２３へ制御信号１２３を出力するとともに、多重分離部２４へ制御信号１２４を出力する。
【００２３】
デインタリーブ部２３は、受信タイミング発生部２２から出力された制御信号１２３により、入力された受信信号１２１のビット列の並べ替えを行い、多重分離部２４に並べ替え後の多重信号１２５を出力する。
【００２４】
多重分離部２４は、デインタリーブ部２３から出力された多重信号１２５より分離した受信バースト信号１２６を出力する。
【００２５】
このように、送信側では、送信バースト信号を所定のビット数単位に分割し、ユニークワードを分散付加してインタリーブを施して出力し、受信側において、分散付加されたユニークワードの検出を行うことにより、連続してビット誤りを生ずるバースト的な誤りが発生した場合でも、ＵＷ信号の一部のビットが誤るだけなのでＵＷ検出の確率が高くなって、失われるバーストデータの数が減ることになるため、通信品質を向上させることができる。
【００２６】
次に、本実施の形態に基づくインタリーブの動作を図１および図２を参照して説明する。図２は、本発明のインタリーブ通信方式に基づくビット列を示す図である。
【００２７】
送信側の多重部１１は、入力された送信バースト信号１１１とＵＷ発生部１２から出力されたＵＷ信号１１２とを多重した多重信号１１３を出力する。ここで、ＵＷ信号１１２のビット長をｋビット、送信バースト信号１１１のビット長をｎビットとし、ｎ＝ｍ×ｋ（ｋ、ｍ、ｎは、正の整数）とする。したがって、この多重部１１から出力された多重信号１１３は、図２（ａ）に示すように、ＵＷ信号１１２のｋビットと送信バースト信号１１１のｎビットとからなる。
【００２８】
インタリーブ部１３では、ＵＷ信号１１２と送信バースト信号１１１との多重信号１１３を、ビット列に並び替えた送信信号１１４を出力する。すなわち、送信信号１１４は送信バースト信号１１１のｍビット間隔毎にＵＷ信号１１２の１ビットが挿入される。
【００２９】
次に、受信側のＵＷ検出部２１は、入力された受信信号１２１を（ｍ＋１）ビット間隔、すなわちＵＷビット検出位置でＵＷビットを検出し、予め決められたＵＷパターンと比較し、これらの位置での各ビットがＵＷパターンと完全一致、あるいは予め設定されたビット誤り率以下で検出された場合、ＵＷ信号１１２の最後のビット位置でＵＷ検出パルス１２２を発生し受信基準タイミング信号として受信タイミング発生部２２へ出力する。
【００３０】
受信タイミング発生部２２は、ＵＷ検出部２１から出力されたＵＷ検出パルス１２２を基準として、制御信号１２３および制御信号１２４をデインタリーブ部２３および多重分離部２４へそれぞれ出力する。
【００３１】
デインタリーブ部２３は、受信タイミング発生部２２から出力された制御信号１２３により、入力された受信信号１２１のビット列の並べ替えを行い、多重分離部２４に並べ替え後の多重信号１２５を出力する。
【００３２】
多重分離部２４は、受信タイミング発生部２２から出力された制御信号１２４により、デインタリーブ部２３からの並べ替え後の多重信号１２５から受信バースト信号１２６を分離して出力する。
【００３３】
【発明の効果】
以上説明したように、本発明のインタリーブ通信方式及びインタリーブ通信装置によれば、ＵＷ信号の各ビットを送信信号の中に一定間隔で分散配置して送信することにより、伝送路上で数ビット連続してビット誤りが生ずるバースト状のデータ誤りが発生した場合でも、ＵＷ信号の一部のビットが誤るだけなのでＵＷ検出の確率が高く、失われるバーストデータの数が減ることによって通信品質を向上させることができる。
【図面の簡単な説明】
【図１】本発明のインタリーブ通信方式を説明するためのブロック図である。
【図２】本発明のインタリーブ通信方式に基づくビット列を示す図である。
【図３】従来のＴＤＭＡ通信におけるＵＷ検出方式を説明するためのブロック図である。
【図４】従来のＴＤＭＡ通信のＵＷ検出方式におけるビット列を示す図である。
【符号の説明】
１１　　多重部
１２　　ＵＷ発生部
１３　　インタリーブ部
２１　　ＵＷ検出部
２２　　受信タイミング発生部
２３　　デインタリーブ部
２４　　多重分離部
５１　　多重部
５２　　ＵＷ発生部
６１　　ＵＷ検出部
６２　　受信タイミング発生部
６３　　多重分離部
１１１　　送信バースト信号
１１２　　ＵＷ信号
１１３　　多重信号
１１４　　送信信号
１２１　　受信信号
１２２　　ＵＷ検出パルス
１２３、１２４　　制御信号
１２５　　多重信号
１２６　　受信バースト信号
１５１　　送信バースト信号
１５２　　ＵＷ信号
１５３　　送信信号
１６１　　受信信号
１６２　　ＵＷ検出パルス
１６３　　制御信号
１６４　　受信バースト信号
【図１】
2004032549.tif 000003
【図２】
2004032549.tif 000004
【図３】
2004032549.tif 000005
【図４】
2004032549.tif 000006